(57)【特許請求の範囲】
【請求項１】
１冊の育苗容器で育苗した連結苗群から分割した分割連結苗群を収容する苗箱を複数個載置する苗箱載置部と、各苗を起立させて載置するとともに、上記連結苗群を分割して、その各分割連結苗群を対応する上記苗箱に移載する複数の苗群載置部とを有する連結苗群の分割移載装置において、上記各苗群載置部間に苗群分割用針列を配置し、その苗群分割用針列を該苗群載置部と一緒に回動するようにし、かつ、該苗群分割用針列を上記苗群載置部の回動に従って、上記連結苗群の苗列に刺し込む刺込み位置とその苗列から抜き出す抜出し位置との間で近似直線的に移動するようにしてなることを特徴とする連結苗群の分割移載装置。
【請求項２】
基端部が苗群載置部に回動自在に取り付けられている揺動リンクの先端部に、苗群分割用針列が設けられており、その揺動リンクを回動させて、該苗群分割用針列を上記刺込み位置と抜出し位置との間で近似直線的に移動させる請求項１記載の連結苗群の分割移載装置。
【請求項３】
苗箱の底部には、これに収容した連結苗群の取り出しに供する複数の遊挿孔が形成されており、苗箱載置部には、連結苗群が苗箱の各遊挿孔上を円滑に移動するのを補助する苗群移動補助部材が設けられている請求項１又は２記載の連結苗群の分割移載装置。
【請求項４】
苗群移動補助部材は、苗箱載置部に載置された苗箱の各遊挿孔に挿入されて、それらの開口部を底部の上面とほぼ面一となるように閉塞する請求項３記載の連結苗群の分割移載装置。
【請求項５】
苗群移動補助部材は、上辺が挿入孔の開口部を閉塞する下向きコ字形に形成されており、それの上辺は、連結苗群の移載方向上流側端部から下流側端部にかけて高くなるように傾斜されており、移載方向上流側端部は苗箱底部の上面を越えない高さに設定されているとともに、下流側端部が苗箱底部の上面の上側に突出して形成されている請求項４記載の連結苗群の分割移載装置。
【請求項６】
苗群移動補助部材は、苗箱載置部に載置された苗箱の各遊挿孔に挿入されて、それらの開口部を閉塞するとともに、苗箱底部の上面の上側に突出する回転ローラである請求項３記載の連結苗群の分割移載装置。
【発明の詳細な説明】
【０００１】
【発明の属する技術分野】
本発明は、連結苗群を２以上に分割するとともに、それら分割した連結苗群をそれぞれ苗箱に移載する連結苗群の分割移載装置に関する。
【０００２】
【従来の技術】
従来の分割移載装置として、実公平４−３７３７１号公報、特開平７−７９６１３号公報に示すものがある。
実公平４−３７３７１号公報記載の分割移載装置は、連結苗群を分割するときには、その連結苗群をなす苗に苗群分割用針を刺し込むとともに、分割した各連結苗群をそれぞれ苗箱に移載するときには、刺し込まれている苗群分割用針を苗から抜き出している。
【０００３】
特開平７−７９６１３号公報記載の分割移載装置は、連結苗群を分割した後、これら分割した連結苗群を苗箱に移載する姿勢に上方回動させる動作と、この動作の間に、苗に刺し込まれている苗群分割用針を抜き出す動作とを別々に行っている。
【０００４】
【発明が解決しようとする課題】
しかしながら、実公平４−３７３７１号公報記載の分割移載装置は、苗群分割用針に対して、分割後の連結苗群を回動させるように、換言すると、旋回するように移動させているので、刺し込まれていた苗群分割用針が、それらの苗の中心から側方にずれる方向に移動し、これにより苗が破れて破損したり、それらの苗が、これらに隣接する他の苗から引き剥がされるという欠点がある。
【０００５】
また、特開平７−７９６１３号公報記載の分割移載装置では、苗群分割針の連結苗群への刺し込みと抜き出し動作を、苗群載置部の回動操作とは別に、しかもその操作に同期して適切なタイミングで行う必要があるので、その操作が煩雑である。
【０００６】
そこで本発明は、苗群載置部の回動に伴って連結苗群への苗群分割用針列の抜き刺し動作を自動的に行えるとともに、分割した連結苗群を苗箱に移載する際にも、苗の破損等を防止できる連結苗群の分割移載装置の提供を目的とする。
【０００７】
【課題を解決するための手段】
本発明連結苗群の分割移載装置は、１冊の育苗容器で育苗した連結苗群Ｐから分割した分割連結苗群Ｑを収容する苗箱１５を複数個載置する苗箱載置部Ｂと、各苗を起立させて載置するとともに、上記連結苗群Ｐを分割して、その各分割連結苗群Ｑを対応する上記苗箱１５に移載する苗群載置部Ａ１〜Ａ３とを有している。
【０００８】
そして、上記苗群載置部Ａ１，Ａ２及びＡ１，Ａ３間に苗群分割用針列２２を配置し、その苗群分割用針列２２を該苗群載置部Ａ１〜Ａ３と一緒に回動するようにし、かつ、該苗群分割用針列２２を上記苗載置部Ａ１〜Ａ３の回動に従って、上記連結苗群Ｐの苗列に刺し込む刺込み位置（ニ）とその苗列から抜き出す抜出し位置（ホ）との間で近似直線的に移動するようにしている。
【０００９】
【発明の実施の形態】
本発明の実施の形態について図面を参照して説明する。
Ａ１〜Ａ３は、１冊の育苗容器で育苗した連結苗群Ｐを３分割するとともに、これら分割した各分割連結苗群Ｑをそれぞれ苗箱１５に移載する第１〜第３の苗群載置部、Ｂは苗箱１５を載置する苗箱載置部、Ｃは苗群載置部Ａ１〜Ａ３と苗箱載置部Ｂを支持する本体部である（図１〜５）。
【００１０】
本体部Ｃの主な構成は次の通りである。
１６は平面長方形の支持枠であり、これの両端部には、側面略台形の大フレーム１７がそれぞれ立設されているとともに、支持枠１６の一方の端部と該支持枠１６の中央には、大フレーム１７よりも小さい側面へ字形の小フレーム１８が立設されている。
【００１１】
大フレーム１７の上辺１７ａは、それの背面側から前面側にかけて下向きに傾斜して形成されており、これらの背面側上部間には第１〜第３の苗群載置部Ａ１〜Ａ３を支持する主軸１９が回転自在に跨架されている。また、両小フレーム１８，１８間には第１〜第３の苗群載置部Ａ１〜Ａ３を回動させる傾動用軸２０が架設されており、これの端部には該傾動用軸２０を回動させる回動用レバー２１が固定されている。
【００１２】
第１〜第３の苗群載置部Ａ１〜Ａ３の構成は次の通りである。
第１〜第３の苗群載置部Ａ１〜Ａ３のうち、中央に配置した第１の苗群載置部Ａ１は、連結苗群Ｐを載置される苗群載置位置（ロ）（図２）と、上記分割連結苗群Ｑを苗箱１５に移載する苗群移載位置（ハ）（図５）との間での移動だけができるように主軸１９に支持されている。
【００１３】
また、第１の苗群載置部Ａ１の両端部に配置した第２，第３の苗群載置部Ａ２，Ａ３は、第１の苗群載置部Ａ１とともに、苗群載置位置（ロ）と、苗群移載位置（ハ）との間での移動とともに、第２，第３の苗群載置部Ａ２，Ａ３が第１の苗群載置部Ａ１に密着した分割開始位置（チ）（図１）と、それらの苗群載置部Ａ２，Ａ３が第１の苗群載置部Ａ１から離間した分割終了位置（リ）（図４）との間での移動ができるように主軸１９に支持されている。
【００１４】
第１の苗群載置部Ａ１は、連結苗群Ｐを載置する載置枠Ｄと、この載置枠Ｄの両端部に配置した、複数の分割用針２２ａからなる苗群分割用針列２２をそれぞれ列設した針列支持部材３４，３７と、針列支持機構部Ｅとを有している。
針列支持機構部Ｅは、載置枠Ｄに載置した連結苗群Ｐの対向する苗列に刺し込む苗群分割用針列２２，２２を、載置枠Ｄ上に突出した刺込み位置（ニ）と、該苗から抜き出した抜出し位置（ホ）との間で移動自在に支持している。
【００１５】
載置枠Ｄは、主軸１９に沿ってほぼ等間隔に配列された６本の苗載置部材２３〜２８と、これらの基端部と先端部とをそれぞれ連結部材２９，３０で連結したものである。また、連結部材２９の両端部には２つの軸受３１，３１が固定されており、これらが主軸１９に回動自在に嵌装されている。
【００１６】
先端部側の連結部材３０は、上記支持枠１６の前側部材１６ａに立設した２つの支持部材３２，３２（図１）の上部に当接して支持されており、これにより載置枠Ｄは大フレーム１７の上辺１７ａと同じ傾斜角度で保持されている。
【００１７】
針列支持機構部Ｅは、基端部が上記苗載置部材２４下面に固定した支持軸３３の両端部にそれぞれ回動自在に取り付けられているとともに、針列支持部材３４を先端部に固定した一対の第１の揺動リンク３５，３５と、基端部が上記苗載置部材２７の下面に固定した支持軸３６の両端部にそれぞれ回動自在に取り付けられるとともに、針列支持部材３７を先端部に固定した一対の第２の揺動リンク３８，３８と、これら第１，第２の揺動リンク３５，３５、３８，３８を位置決めする位置決め部材３９とからなる（図８〜図１１）。
【００１８】
位置決め部材３９は、支持軸３３，３６に両端部を固定した支持板４０と、その下面に垂下して形成した、側面逆Ｔ字形の第１，第２の当接部材４１，４２とからなり、一対の第１の揺動リンク３５，３５が支持軸３３を中心として下向きに傾いて、苗群分割用針列２２が抜出し位置（ホ）に移動したときに、第１の揺動リンク３５，３５の一部が第２の当接部材４２に当接する（図１０，１１）。
【００１９】
また、第２の揺動リンク３８，３８が支持軸３６を中心として下向きに傾いて、これの先端部の苗群分割用針列２２が上記抜出し位置（ホ）に移動したときに、第２の揺動リンク３８，３８の一部が第１の当接部材４１に当接する。
【００２０】
４３は主軸１９に固定したパイプ部材であり、これには上記支持板４０の下面に当接する長さの押上げ部材４４の基端部が固定されているとともに、該押上げ部材４４の先端部には２つのリンク４５，４６を介して上記傾動用軸２０が連結されている（図５，７）。
【００２１】
これにより、上記回動用レバー２１の操作が傾動用軸２０、リンク４５，４６を介して押上げ部材４４に伝達されるので、回動用レバー２１を図１に示す初期位置（ヘ）から図７に示す傾動位置（ト）に傾けるだけで、第１の苗群載置部Ａ１を連結苗群Ｐの上記苗群載置位置（ロ）（図２）から上記苗群移載位置（ハ）に傾動させることができる（図５）。
【００２２】
第２の苗群載置部Ａ２は、連結苗群Ｐを載置する載置枠Ｆと、この載置枠Ｆの、第１の苗群載置部Ａ１との対向端部に配置した、苗群分割用針列２２を列設した針列支持部材５８と、その苗群分割用針列２２を載置枠Ｆに載置した連結苗群Ｐの対向する苗に刺し込むように当該載置枠Ｆ上に突出した刺込み位置（ニ）と、該苗から抜き出した抜出し位置（ホ）との間で移動自在支持する針列支持機構部Ｇとを有している。
【００２３】
載置枠Ｆは、主軸１９に沿ってほぼ等間隔に配列された５本の苗載置部材４７〜５１と、これらの基端部と先端部とをそれぞれ２つの連結部材５２，５３で連結したものである。そして、基端部側の連結部材５２に固定した２つの軸受５４，５５を介して主軸１９を中心として回動自在にかつ該軸１９に沿って移動自在に取り付けられている。
【００２４】
また、先端部側の連結部材５３は、上記支持枠１６の前側部材１６ａに設けたガイドローラ５６に当接して支持されており、これにより、第２の苗群載置部Ａ２は大フレーム１７の上辺１７ａと同じ傾斜角度で保持された状態で、主軸１９に沿って移動自在に保持されている。
【００２５】
針列支持機構部Ｇは、基端部が苗載置部材４７下面に固定した支持軸５７の両端部にそれぞれ回動自在に取り付けられているとともに、先端部に針列支持部材５８を固定した一対の揺動リンク５９，５９と、これらの揺動リンク５９，５９を位置決めする位置決め部材６０とを有している。
【００２６】
位置決め部材６０は、上記支持軸５７と上記苗載置部材５０に両端部を固定した支持板６１と、その下面に垂下して形成した、側面逆Ｔ字形の当接部材６２とからなり、揺動リンク５９，５９が下向きに傾いて、苗群分割用針列２２が抜出し位置（ホ）に移動したときに、揺動リンク５９，５９の一部が当接部材６２に当接する（図１０，１１）。
【００２７】
苗群分割用針列２２は揺動リンク３５，３８，５９の各先端部に設けられているので、刺込み位置（ニ）から抜出し位置（ホ）に移動する際に、厳密には円弧状の軌跡を描いて移動するが、刺込み位置（ニ）と抜出し位置（ホ）との間の距離に比較して、揺動リンクの基端部から苗群分割用針列２２を設けた先端部までの寸法を充分に長く設定しているので、苗群分割用針列２２が近似直線的に移動するため、それの抜き刺し動作によって苗を傷めたり破損させる等の心配はない。
【００２８】
図４に示すように、第２の苗群載置部Ａ２を上記分割終了位置（リ）に移動させたときにそれの中央となる主軸１９上の位置にはパイプ部材６３が固定されており、これに上記押上げ部材４４と同様の押上げ部材６４が固定されている。
従って、上記第１の苗群載置部Ａ１に設けた押上げ部材４４によって、それの載置枠Ｄを押し上げれば、押上げ部材６４によって載置枠Ｆも同時に押し上げられて回動する。
【００２９】
なお、第３の苗群載置部Ａ３は、第１の苗群載置部Ａ１を挟んで対称に形成されている点を除けば、上述した第２の苗群載置部Ａ２と同一の構造であるので、第２の苗群載置部Ａ２のものと同一の符号を付して各部の詳細な説明を省略する。
【００３０】
Ｈは、各苗群載置部Ａ１〜Ａ３の回動に従って、上記各揺動リンクを移動させる移動機構部であり、第１の苗群載置部Ａ１とＡ２との間、及び第１の苗群載置部Ａ１とＡ３との間に配置されており、それらの構成は次の通りである。
上記各苗群載置部Ａ１〜Ａ３に配置した針列支持部材３４，３７，５８の下面には、これら対向する２つの針列支持部材ごとに、共通に連結部材６５を挿入する長孔６６ａを形成した係止片６６が設けられている（図８，図１２〜１４）。
【００３１】
上記連結部材６５の両端部には上側リンク６７の一端部がピン接続され、それの他端部には下側リンク６８の一端部がピン接続されているとともに、該下側リンク６８の他端部は、前記支持枠１６に立設された側面へ字形の取付け部材６９の頂部間に固定された軸７０の両端部に回動自在に支持されている。
【００３２】
また、上側リンク６７と下側リンク６８との間には引張スプリングＳＰが張架されている。これにより、第１〜第３の苗群載置部Ａ１〜Ａ３の各載置枠Ｄ，Ｆがほぼ水平に回動したときから、針列支持部材３４，３７，５８にそれぞれ下向きの引張力が作用するようにしている。
【００３３】
本実施例では、針列支持機構部Ｅ，Ｇと移動機構部Ｈとにより、第１〜第３の苗群載置部Ａ１〜Ａ３の回動に従って、各苗群分割用針列２２を上記刺込み位置（ニ）から抜出し位置（ホ）に移動させる針列移動機構部Ｉを構成している。
【００３４】
次に、上述した各苗群載置部の回動動作と、それらの回動に伴う苗群分割用針の動作について説明する。
上述した回動用レバー２１を初期位置（ヘ）から傾動位置（ト）に傾動操作すると、これに従って傾動用軸２０が回動し、この回動に伴い各苗群載置部Ａ１〜Ａ３が上記苗群載置位置（ロ）（図１２）から苗群移載位置（ハ）（図１４）に向けて移動する。
【００３５】
その回動途中から各針列支持部材３４，３７，５８には引張スプリングＳＰによる下向きの引張力が作用し始め、それらを支持する各揺動リンクは各基端部を中心として移動する。そして、各載置枠Ｄ，Ｆがほぼ水平になったときに、各揺動リンクがそれぞれ位置決め部材に当接して、このときに苗群分割用針列２２が上記抜出し位置（ホ）に位置決めされる（図１３）。
【００３６】
その後も、傾動用軸２０を回動させると、各苗群載置部Ａ１〜Ａ３は上記苗群移載位置（ハ）（図１４）に移動される。また、傾動用軸２０を上記とは逆方向に回転させれば各苗群載置部Ａ１〜Ａ３は苗群載置位置（ロ）（図１２）に復帰し、この復帰動作に途中において、苗群分割用針列２２は抜出し位置（ホ）から刺込み位置（ニ）に復帰回動する。
【００３７】
図３に示すように、支持枠１６の後側部材１６ｂには、これに立設した支持部材７１にリンク７２が回動自在に設けられており、それの両端部にはそれぞれ押し引きロッド７３，７４を介して、第２，第３の苗群載置部Ａ２，Ａ３の背面側の取付け部材７５，７６に連結されている。また、第３の苗群載置部Ａ３の上記取付け部材７６には、支持枠１６の端部に固定した軸７７を中心として回動自在に取り付けた分割移動用レバー７８に連結する押し引きロッド７９が連結されている。
【００３８】
すなわち、第２，第３の苗群載置部Ａ２，Ａ３は、分割移動用レバー７８を図３に示す初期位置（ヌ）から図４に示す分割移動位置（ル）に向けて傾動させると、これの傾動が押し引きロッド７９を介して第３の苗群載置部Ａ３に伝達され、これを上記分割開始位置（チ）（図３）から分割終了位置（リ）（図４）に向けて移動させる。
【００３９】
また、第３の苗群載置部Ａ３の移動が押し引きロッド７４を介してリンク７２を回転させ、この回転が押し引きロッド７３によって第２の苗群載置部Ａ２に伝達され、それを分割開始位置（チ）から分割終了位置（リ）に向けて移動させる。
【００４０】
苗箱載置部Ｂは、上記支持枠１６の後側部材１６ｂに下端部を固定したステー７５によって、苗箱載置台７６を所要角度に傾斜支持した構成であり、この上に、各苗群載置部Ａ１〜Ａ３に対応して分割連結苗群Ｑをそれぞれ収納する３つの苗箱１５が互いに密着して載置されるようになっている（図１５）。
【００４１】
苗箱１５は分割連結苗群Ｑを移植機（図示しない）に装填するもので、それの上面と一方の側面を解放している。それの底部１５ａには、該苗箱１５を移植機に装填した際、これに収納されている分割連結苗群Ｑを移植機の苗分離部（図示しない）に向けて移送する、移植機側の回転ローラ（図示しない）の上側を、該苗箱１５内に突出させる１０個の方形の遊挿孔７７（図１８）が形成されている。
【００４２】
苗箱載置台７６の上面には、苗箱底部１５ａの遊挿孔７７にそれぞれ対向する位置に、該苗箱載置台７６に収容する分割連結苗群Ｑの苗が遊挿孔７７内に落ちたり、該遊挿孔７７の縁部に引っ掛かって引き剥がされること等を防止する苗群移動補助部材７８が設けられている。
【００４３】
この苗群移動補助部材７８は側面形状が下向きコ字形のもので、それの上辺は、該苗箱１５への分割連結苗群Ｑの移載方向上流側端部７８ａから下流側端部７８ｂにかけて高くなるように傾斜して形成している。さらに詳しくは、上流側端部７８ａは苗箱底部１５ａの上面を越えない高さに設定するとともに、下流側端部７８ｂが該底部１５ａの底面のやや上側に突出するように形成している。
【００４４】
なお、苗群移載位置（ハ）に移動された上記載置枠Ｆ，Ｄの上面と苗箱載置台７６に載置された苗箱１５の底部１５ａの底面とはほぼ面一となるようにし、また、それらの傾斜は分割連結苗群Ｑが円滑に苗箱１５に移載できる角度にする。
【００４５】
次に、本連結苗群の分割移載装置によって連結苗群を分割，移載する動作について説明する。
第１，第２の苗群載置部Ａ１，Ａ２を図１に示すように分割開始位置（チ）に移動させている状態で、それらの上に１冊の連結苗群Ｐを載せると、その自重によって苗針群分割用針列２２が対向する苗列の苗に刺し込まれる。
【００４６】
次に、分割移動用レバー７８を操作すると、苗群載置部Ａ２とＡ３が分割開始位置（チ）からそれぞれ分割終了位置（リ）に向けて移動し、この移動によって上記苗群分割用針列２２が刺し込まれた苗列どうしがそれらの間で剥離され、１冊の連結苗群Ｐが３分割される。
【００４７】
苗群載置部Ａ２とＡ３とをそれぞれ分割終了位置（リ）に移動させた後、回動用レバー２１を操作すると、各苗群載置部Ａ１〜Ａ３が苗群載置位置（ロ）から苗群移載位置（ハ）に向けて回動する。
この回動途中において、各分割連結苗群Ｑの苗に刺し込まれていた苗群分割用針列２２はそれらの下方に移動されて各苗から抜き出され、これにより各分割連結苗群Ｑは各載置枠上を滑って苗箱１５内に移載される。
【００４８】
なお、本発明は前述した実施例に限るものではなく、その要旨の範囲内で様々な変形実施が可能である。
苗群移動補助部材としては、図１９に示すように、苗箱１５の各遊挿孔７７に対向して回転自在な円柱形のローラ部材７９を使用し、これらの上側が底部１５ａの底面のやや上側に突出するように設けるようにしてもよい。
【００４９】
上記実施例では、手動によって連結苗群の分割とそれの回動とを行うものについて説明したが、それらを、モータ等の駆動源によって自動的に行うようにしてもよい。この場合、作業効率を向上させられるとともに、作業者の肉体的負担を軽減できる。
【００５０】
上記実施例では１冊の連結苗群を３分割した例について説明したが、第１の苗群載置部に相当する苗群載置部を設けずに、上記第２の苗群載置部と第３の苗群載置部に相当する２つの苗群載置部だけを設け、これらによって連結苗群Ｐを２分割してもよい。
【００５１】
【発明の効果】
本発明によれば、苗群載置部の回動に伴って、連結苗群への苗群分割用針列の抜き刺し動作を自動的に行うことができるので、連結苗群の回動とは別に、その操作に同期して苗群分割用針の抜き刺し動作を手動で行う必要がなく、連結苗群の分割作業を容易に行うことができる。
【００５２】
また、苗箱載置部には、これに載置された苗箱の各遊挿孔上を、連結苗群が円滑に移動するのを補助する苗群移動補助部材が設けられているので、連結苗群を苗箱に移載する際にも、苗の破損等を防止できる。
【図面の簡単な説明】
【図１】  本発明連結苗群の分割移載装置の全体構成を示すもので、苗群載置部を苗群載置位置でかつ分割開始位置に移動させた正面図である。
【図２】  その側面図である。
【図３】  その背面図である。
【図４】  第２，第３の苗群載置部を分割終了位置に移動したときの背面図である。
【図５】  第１〜第３の苗群載置部を苗列移載位置に移動したときの側面図である。
【図６】  第１〜第３の苗群載置部の構成を示す平面図である。
【図７】  第１の苗群載置部を苗群移載位置に移動したときの部分側面図である。
【図８】  苗群分離針を刺込み位置に移動したときの第１〜第３の苗群載置部の針支持機構の構成を示す正面図である。
【図９】  その側面図である。
【図１０】  苗群分割用針を抜出し位置に移動したときの第１〜第３の苗群載置部の針支持機構の正面図である。
【図１１】  その側面図である。
【図１２】  第１〜第３の苗群載置部を苗群載置位置に移動したときの苗群分割用針列と針列移動機構の動作を示す側面図である。
【図１３】  第１〜第３の苗群載置部を苗群載置位置と苗群移載位置との間に移動したときの苗群分割用針列と針列移動機構の動作を示す側面図である。
【図１４】  第１〜第３の苗群載置部を苗群移載位置に移動したときの苗群分割用針列と針列移動機構の動作を示す側面図である。
【図１５】  苗箱載置部に苗箱を載置した正面図である。
【図１６】  その側面図である。
【図１７】  図１６の包囲線で示す部分の拡大図である。
【図１８】  苗箱載置部に載置した苗箱の平面図である。
【図１９】  苗箱載置部の他例を示す側面図である。
【符号の説明】
１５              苗箱
２２              苗群分割用針列
Ａ１〜Ａ３        苗群載置部
Ｂ                苗箱載置部
Ｅ，Ｇ            苗列支持機構部
Ｈ                移動機構部
Ｉ                針列移動機構部
Ｐ                １冊の育苗容器で育苗した連結苗群
Ｑ                分割連結苗群
（ニ）            刺込み位置
（ホ）            抜出し位置
【図１】
0003689795.tif 000002
【図２】
0003689795.tif 000003
【図３】
0003689795.tif 000004
【図４】
0003689795.tif 000005
【図５】
0003689795.tif 000006
【図６】
0003689795.tif 000007
【図７】
0003689795.tif 000008
【図８】
0003689795.tif 000009
【図９】
0003689795.tif 000010
【図１０】
0003689795.tif 000011
【図１１】
0003689795.tif 000012
【図１２】
0003689795.tif 000013
【図１３】
0003689795.tif 000014
【図１４】
0003689795.tif 000015
【図１５】
0003689795.tif 000016
【図１６】
0003689795.tif 000017
【図１７】
0003689795.tif 000018
【図１８】
0003689795.tif 000019
【図１９】
0003689795.tif 000020